(57)【特許請求の範囲】
【請求項１】
一方の建物の外壁面より外方へ突出するように形成された一方の通路と、前記一方の建物の一端部に目地部を介して建てられた他方の建物の前記一方の通路と対応する部位のコーナ部位の外壁面に外方へ突出するようにＬ字状に形成された他方の通路と、前記一方の通路の目地部側の床面に固定された前記他方の通路方向の一方のガイドレールと、前記他方の通路の目地部側の躯体にほぼ水平に固定された支持レールと、この支持レールに一端部がスライド移動可能に支持され、他端部が前記一方のガイドレールにスライド移動可能に支持された前記目地部を覆う目地プレートと、前記他方の通路のコーナ部位の通路部位の床面に、前記一方のガイドレールと直交するように固定された他方のガイドレールと、この他方のガイドレールにガイドされて外方へ突出できるようにスライド移動可能に取付けられたコーナ目地プレートと、前記目地プレートの一端部の両側部位に後端部が取付けられ、先端部が前記一方の通路の両側部材にスライド移動可能に取付けられた一対の可動手摺と、この一対の可動手摺の内側部位の後端部あるいは前記目地プレートの一端部の内側側部に後端部が取付けられ、先端部が前記他方の通路の目地部側の側部材にスライド移動可能に取付けられた目地部側可動手摺と、前記一対の可動手摺の外側部位の後端部あるいは前記目地プレートの一端部の外側側部に固定された支柱に、先端部がヒンジ部材を介して取付けられ、他端部が前記他方の通路の外側の側部材の端部にヒンジ部材を介して取付けられた伸縮可能な外側可動手摺と、前記一方の建物が一方の通路を外方へ突出するように揺れ動いた場合に前記コーナ目地プレートを外方へスライド移動させ、元に戻ると自動的に元の位置へ戻すコーナ目地プレート移動機構とからなることを特徴とする渡り通路。
【請求項２】
一方の建物の外壁面より外方へ突出するように形成された一方の通路と、前記一方の建物の一端部に目地部を介して建てられた他方の建物の前記一方の通路と対応する部位のコーナ部位の外壁面に外方へ突出するようにＬ字状に形成された他方の通路と、前記一方の通路の目地部側の床面に目地部に開口するように形成された凹部内に固定された前記他方の通路方向の一方のガイドレールと、前記他方の通路の目地部側の躯体にほぼ水平に固定された支持レールと、この支持レールに一端部がスライド移動可能に支持され、前記凹部のほぼ中央部に位置する他端部が前記一方のガイドレールにスライド移動可能に支持された前記目地部を覆う目地プレートと、この目地プレートのスライド移動を可能に前記凹部の上部を覆うことができる一方のカバープレートと、前記他方の通路のコーナ部位の通路部位の床面に外方に開口するように形成された凹部内に、前記一方のガイドレールと直交するように固定された他方のガイドレールと、この他方のガイドレールにガイドされて外方へ突出できるようにスライド移動可能に取付けられたコーナ目地プレートと、このコーナ目地プレートのスライド移動を可能に該コーナ目地プレートの内側寄りの部位を覆う他方のカバープレートと、前記目地プレートの一端部の両側部位に後端部が取付けられ、先端部が前記一方の通路の両側部材にスライド移動可能に取付けられた一対の可動手摺と、この一対の可動手摺の内側部位の後端部あるいは前記目地プレートの一端部の内側側部に後端部が取付けられ、先端部が前記他方の通路の目地部側の側部材にスライド移動可能に取付けられた目地部側可動手摺と、前記一対の可動手摺の外側部位の後端部あるいは前記目地プレートの一端部の外側側部に固定された支柱に、先端部がヒンジ部材を介して取付けられ、他端部が前記他方の通路の外側の側部材の端部にヒンジ部材を介して取付けられた伸縮可能な外側可動手摺と、前記一方の建物が一方の通路を外方へ突出するように揺れ動いた場合に前記コーナ目地プレートを外方へスライド移動させ、元に戻ると自動的に元の位置へ戻すコーナ目地プレート移動機構とからなることを特徴とする渡り通路。
【発明の詳細な説明】
【０００１】
【発明の属する技術分野】
本発明は一方の建物の外壁面より外方に突出する一方の通路と、目地部を介して建てられた他方の建物の外壁面より外方に突出するＬ字状の他方の通路のコーナ部位とを連通する渡り通路に関する。
【０００２】
【従来の技術】
従来、この種の渡り通路は目地部を介して建てられた建物は異なる前後左右方向の揺れ動きを吸収するために、目地プレートの両端部位に伸縮可能な端部目地プレートを設けている。
【０００３】
【発明が解決しようとする課題】
従来の渡り通路は目地部を覆うために目地プレートと端部目地プレートを用いているため、段差が生じて見苦しくなるという欠点があるとともに、異なる前後方向の揺れ動き時に目地部に隙間が生じる危険性があるという欠点があった。
【０００４】
本発明は以上のような従来の欠点に鑑み、１枚の板状の目地プレートを用いることができるとともに、異なる前後方向に揺れ動いても隙間が生じることなく、安全に使用することができる渡り通路を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は一方の建物の外壁面より外方へ突出するように形成された一方の通路と、前記一方の建物の一端部に目地部を介して建てられた他方の建物の前記一方の通路と対応する部位のコーナ部位の外壁面に外方へ突出するようにＬ字状に形成された他方の通路と、前記一方の通路の目地部側の床面に固定された前記他方の通路方向の一方のガイドレールと、前記他方の通路の目地部側の躯体にほぼ水平に固定された支持レールと、この支持レールに一端部がスライド移動可能に支持され、他端部が前記一方のガイドレールにスライド移動可能に支持された前記目地部を覆う目地プレートと、前記他方の通路のコーナ部位の通路部位の床面に、前記一方のガイドレールと直交するように固定された他方のガイドレールと、この他方のガイドレールにガイドされて外方へ突出できるようにスライド移動可能に取付けられたコーナ目地プレートと、前記目地プレートの一端部の両側部位に後端部が取付けられ、先端部が前記一方の通路の両側部材にスライド移動可能に取付けられた一対の可動手摺と、この一対の可動手摺の内側部位の後端部あるいは前記目地プレートの一端部の内側側部に後端部が取付けられ、先端部が前記他方の通路の目地部側の側部材にスライド移動可能に取付けられた目地部側可動手摺と、前記一対の可動手摺の外側部位の後端部あるいは前記目地プレートの一端部の外側側部に固定された支柱に、先端部がヒンジ部材を介して取付けられ、他端部が前記他方の通路の外側の側部材の端部にヒンジ部材を介して取付けられた伸縮可能な外側可動手摺と、前記一方の建物が一方の通路を外方へ突出するように揺れ動いた場合に前記コーナ目地プレートを外方へスライド移動させ、元に戻ると自動的に元の位置へ戻すコーナ目地プレート移動機構とで渡り通路を構成している。
【０００７】
【発明の実施の形態】
以下、図面に示す実施の形態により、本発明を詳細に説明する。
【０００８】
図１ないし図１５に示す本発明の第１の実施の形態において、１は一方の建物２の外壁面３より外方へ突出するように形成された一方の通路４と、前記一方の建物２の一端部に目地部５を介して建てられた他方の建物６の、前記一方の通路４と対応する部位のコーナ部位の外壁面７に外方へ突出するようにＬ字状に形成された他方の通路８とを連通する本発明の渡り通路で、この渡り通路１は前記一方の通路４の目地部５側の床面に、目地部５に開口するように形成された凹部９と、この凹部９内のほぼ中央部に固定された前記他方の通路８方向の一方のガイドレール１０と、前記他方の通路８の目地部５側の躯体６ａにほぼ水平に固定された支持レール１１と、この支持レール１１に一端部がスライド移動可能に支持され、前記凹部９のほぼ中央部に位置する他端部が前記一方のガイドレール１０にスライド移動可能に支持された前記目地部５を覆う目地プレート１２と、この目地プレート１２のスライド移動を可能に前記凹部９の上部を覆うことができる一方のカバープレート１３と、前記他方の通路８のコーナ部位の通路部位の床面に外方に開口するように形成された凹部１４と、この凹部１４内に前記一方のガイドレール１０と直交するように固定された他方のガイドレール１５と、この他方のガイドレール１５にガイドされて外方へ突出できるようにスライド移動可能に取付けられたコーナ目地プレート１６と、このコーナ目地プレート１６のスライド移動を可能に該コーナ目地プレート１６の内側寄りの部位を覆う他方のカバープレート１７と、前記目地プレート１２の一端部の両側部に後端部が取付けられ、先端部が前記一方の通路４の両側部材である外壁面３および外側部材３Ａにスライド支持金具１８、１８を介してスライド移動可能に取付けられた一対の可動手摺１９、１９と、この一対の可動手摺１９、１９の内側部位の可動手摺１９の後端部に取付けられ、先端部が前記他方の通路８の目地部５側の外側部材７Ａにスライド支持金具１８を介してスライド移動可能に取付けられた目地部側可動手摺２０と、前記一対の可動手摺１９、１９の外側部位の可動手摺１９に先端部がヒンジ部材２１を介して取付けられ、他端部が前記他方の通路８の外側部材７Ｂの端部にヒンジ部材２２を介して取付けられた伸縮可能な外側可動手摺２３と、前記一方の建物２が一方の通路４を外方へ突出するように揺れ動いた場合に、前記コーナ目地プレート１６を外方へスライド移動させ、元に戻ると自動的に元の位置へ戻すコーナ目地プレート移動機構２４とで構成されている。
【０００９】
前記目地プレート１２は図４に示すように、台車の車体状に形成された目地プレート本体２５と、この目地プレート本体２５の一端部の両側下部に取付けられた前記支持レール１１に沿ってスライド移動する前後方向移動用ローラ２６、２６と、前記目地プレート本体２５のほぼ中央部の底面に固定された、前記一方のガイドレール１０に左右方向にスライド移動可能にガイドされるガイド部材２７と、前記目地プレート本体２５の他端部の両側下部に取付けられた、前記凹部９内を左右方向のスライド移動をスムーズに行なわせるための左右方向移動用ローラ２８、２８とで構成されている。
【００１０】
前記一方のカバープレート１３は図５に示すように、前記凹部９の端部に固定されたアングル状の一方のカバープレート取付け金具２９に複数本の皿ビス３０等によって固定されるように取付けられている。
【００１１】
前記コーナ目地プレート１６は図６に示すように、台車の車体状に形成されたコーナ目地プレート本体３１と、このコーナ目地プレート本体３１の四角部および中央部より外側寄りの両側部位に取付けられた前後方向のスライド移動をスムーズに行なわせるための３対の前後方向移動用ローラ３２、３２、３３、３３、３４、３４と、前記コーナ目地プレート本体３１のほぼ中央部の底面に固定された前記他方のガイドレール１５に前後方向にスライド移動可能にガイドされるガイド部材３５とで構成されている。
【００１２】
前記他方のカバープレート１７は図７に示すように、前記凹部１４の端部に固定されたアングル状の他方のカバープレート取付け金具３６に複数本の皿ビス３７等によって固定されるように取付けるとともに、該他方のカバープレート１７の一側部で前記目地プレート１２の一端部の浮き上がりを防止できるように取付けられている。
【００１３】
前記一対の可動手摺１９、１９は図８に示すように、前記目地プレート１２の一端部の両側部に立設するように固定された支柱３８、３８と、この支柱３８、３８の上下部位にそれぞれ固定された前記スライド金具１８、１８にスライド移動可能に支持される上下バー部材３９、４０、３９、４０と、この上下バー部材３９、４０、３９、４０に所定間隔で固定された複数本の縦桟４１とで構成されている。
【００１４】
前記目地部側可動手摺２０は図９に示すように、前記支柱３８の上下部位に固定された前記スライド支持金具１８にスライド移動可能に支持される上下バー部材３９、４０と、この上下バー部材３９、４０に所定間隔で固定された複数本の縦桟４１とで構成されている。
【００１５】
前記外側可動手摺２３は図１０に示すように、外側部位の前記可動手摺１９の支柱３８にヒンジ部材２１を介して取付けられた一方の支持バー４２と、この一方の支持バー４２に後端部が所定間隔で溶接等によって固定されたほぼ水平方向に突出する複数本の一方の横桟４３、４３、４３と、前記他方の通路８の外側部材７Ｂの端部にヒンジ部材２２を介して取付けられた他方の支持バー４４と、この他方の支持バー４４に後端部が所定間隔で溶接等によって固定された、先端部に前記一方の横桟４３、４３、４３をスライド移動可能に支持する支持リング４５、４５、４５を備えるように取付けられる他方の横桟４６、４６、４６とで構成されている。
なお、一方の横桟４３、４３、４３と他方の横桟４６、４６、４６とを磁石で吸着させて騒音の発生を防止してもよい。
【００１６】
前記コーナ目地プレート移動機構２４は図１１に示すように、前記コーナ目地プレート１６を常時収納方向に付勢する付勢スプリング４７と、前記目地プレート１２の外側の一端部に形成された押し圧片４８と、前記コーナ目地プレート１６の外側端部に前記押し圧片４８と当接するように形成された当接片４９とで構成されている。
【００１７】
上記構成の渡り通路１は地震等によって目地部５が狭くなるように建物２、６が揺れ動いた場合には、図１２に示すように目地プレート１２が凹部９および一方のカバープレート１３内に押し込まれるようにスライド移動するとともに、一対の可動手摺１９、１９も同様にスライド移動して、その揺れ動きを吸収する。
【００１８】
また、目地部５が広くなるように建物２、６が揺れ動いた場合には、図１３に示すように目地プレート１２が凹部９および一方のカバープレート１３より突出するようにスライド移動するとともに、一対の可動手摺１９、１９も同様にスライド移動して、その揺れ動きを吸収する。
【００１９】
建物２、６が異なる前後方向に揺れ動き、一方の建物２の外側面より他方の建物６の外側面が外方へ突出する場合には、図１４に示すように目地プレート１２が支持レール１１上をスライド移動するとともに、目地部側可動手摺２０も同様にスライド移動し、外側可動手摺２３は回動するとともに、伸長してその揺れ動きを吸収する。
【００２０】
建物２、６が異なる前後方向に揺れ動き、一方の建物２の外側面が他方の建物６の外側面より外方へ突出する場合には、図１５に示すように目地プレート１２が支持レール１１上をスライド移動して、コーナ目地プレート移動機構２４の付勢スプリング４７の付勢力に抗して、押し圧片４８が当接片４９を押し圧してコーナ目地プレート１６を外方へスライド移動させて、目地部に隙間を生じさせないようにするとともに、目地部側可動手摺２０も同方向にスライド移動させ、外側可動手摺２３を回動させるとともに、伸長させてその揺れ動きを吸収する。
【００２１】
【発明の異なる実施の形態】
次に、図１６ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００２２】
図１６ないし図１８に示す本発明の第２の実施の形態において、前記本発明の第１の実施の形態と主に異なる点は、一方の通路４に形成した凹部９に一方のカバープレート１３を取付けることができる金属材製の支持部材５０を固定するとともに、他方の通路８に形成した凹部１４に他方のカバープレート１７を取付けることができる金属材製の支持部材５１を固定した点で、このように構成した渡り通路１Ａにしても、前記本発明の第１の実施の形態と同様な作用効果が得られる。
【００２３】
図１９ないし図２１に示す本発明の第３の実施の形態において、前記本発明の第１の実施の形態と主に異なる点は、一方の通路４および他方の通路８に凹部を形成することなく、目地プレート１２とコーナ目地プレート１６を設置するとともに、端部に傾斜面５２を有する一方のカバープレート１３Ａと、通路側に面する部位に傾斜面５３、５４を有する他方のカバープレート１７Ａとを用いた点で、このように構成した渡り通路１Ｂにしても、前記本発明の第１の実施の形態と同様な作用効果が得られる。
【００２４】
図２２ないし図２４に示す本発明の第４の実施の形態において、前記本発明の第１の実施の形態と主に異なる点は、パイプ材で形成された一方の横桟４３Ａ、４３Ａ、４３Ａと、この一方の横桟４３Ａ、４３Ａ、４３Ａ内にスライド移動可能に挿入されるバー状の他方の横桟４６Ａ、４６Ａ、４６Ａとを使用した外側可動手摺２３Ａを用いた点で、このように構成した渡り通路１Ｃにしても、前記本発明の第１の実施の形態と同様な作用効果が得られる。
【００２５】
なお、本発明の各実施の形態では目地部側可動手摺２０を可動手摺１９の支柱３８に取付けたものについて説明したが、本発明はこれに限らず、支柱３８近傍に支柱を設けて取付けてもよい。
また、外側可動手摺２３、２３Ａを可動手摺１９の支柱３８にヒンジ部材２１を介して取付けたものについて説明したが、本発明はこれに限らず、支柱３８近傍に支柱を設けてヒンジ部材を介して取付けたり、ヒンジ部材を用いることなく両側の支持バーを回転可能な構造のものにしてもよい。
【００２６】
【発明の効果】
以上の説明から明らかなように、本発明にあっては次に列挙する効果が得られる。
【００２７】
（１）一方の建物の外壁面より外方へ突出するように形成された一方の通路と、前記一方の建物の一端部に目地部を介して建てられた他方の建物の前記一方の通路と対応する部位のコーナ部位の外壁面に外方へ突出するようにＬ字状に形成された他方の通路と、前記一方の通路の目地部側の床面に固定された前記他方の通路方向の一方のガイドレールと、前記他方の通路の目地部側の躯体にほぼ水平に固定された支持レールと、この支持レールに一端部がスライド移動可能に支持され、他端部が前記一方のガイドレールにスライド移動可能に支持された前記目地部を覆う目地プレートと、前記他方の通路のコーナ部位の通路部位の床面に、前記一方のガイドレールと直交するように固定された他方のガイドレールと、この他方のガイドレールにガイドされて外方へ突出できるようにスライド移動可能に取付けられたコーナ目地プレートと、前記目地プレートの一端部の両側部位に後端部が取付けられ、先端部が前記一方の通路の両側部材にスライド移動可能に取付けられた一対の可動手摺と、この一対の可動手摺の内側部位の後端部あるいは前記目地プレートの一端部の内側側部に後端部が取付けられ、先端部が前記他方の通路の目地部側の側部材にスライド移動可能に取付けられた目地部側可動手摺と、前記一対の可動手摺の外側部位の後端部あるいは前記目地プレートの一端部の外側側部に固定された支柱に、先端部がヒンジ部材を介して取付けられ、他端部が前記他方の通路の外側の側部材の端部にヒンジ部材を介して取付けられた伸縮可能な外側可動手摺と、前記一方の建物が一方の通路を外方へ突出するように揺れ動いた場合に前記コーナ目地プレートを外方へスライド移動させ、元に戻ると自動的に元の位置へ戻すコーナ目地プレート移動機構とで構成されているので、地震等によって建物が異なる前後左右方向に揺れ動いた場合、目地部を目地プレートおよびコーナ目地プレートとで隙間が生じないようにスライド移動して覆うとともに、一対の可動手摺、目地部側可動手摺および外側可動手摺がスライド移動、回動伸長して、その揺れ動きに追従して前後左右方向にスライド移動して、吸収することができる。
したがって、地震等の揺れ動きによって損傷したり、隙間が生じて危険になったりするのを確実に防止することができる。
【００２８】
（２）前記（１）によって、目地プレートおよびコーナ目地プレートは一方のガイドレールおよび他方のガイドレールに沿ってスライド移動するので、確実に目的の方向にスライド移動させることができる。
したがって、目地プレートやコーナ目地プレートの目的の方向以外のスライド移動を阻止でき、安全に使用することができる。
【００２９】
（３）前記（１）によって、構造が簡単で、スムーズに作動させることができるとともに、容易に設置することができる。
【００３０】
（４）請求項２も前記（１）〜（３）と同様な効果が得られる。
【図面の簡単な説明】
【図１】本発明の第１の実施の形態の設置状態の平面図。
【図２】図１の２−２線に沿う拡大断面図。
【図３】図１の３−３線に沿う拡大断面図。
【図４】本発明の第１の実施の形態の目地プレートの説明図。
【図５】本発明の第１の実施の形態の一方のカバープレートの説明図。
【図６】本発明の第１の実施の形態のコーナ目地プレートの説明図。
【図７】本発明の第１の実施の形態の他方のカバープレートの説明図。
【図８】本発明の第１の実施の形態の可動手摺の説明図。
【図９】本発明の第１の実施の形態の目地部側可動手摺の説明図。
【図１０】本発明の第１の実施の形態の外側可動手摺の説明図。
【図１１】本発明の第１の実施の形態のコーナ目地プレート移動機構の説明図。
【図１２】本発明の第１の実施の形態の目地部が狭くなった動作説明図。
【図１３】本発明の第１の実施の形態の目地部が広くなった動作説明図。
【図１４】他方の建物が外方へ突出した動作説明図。
【図１５】一方の建物が外方へ突出した動作説明図。
【図１６】本発明の第２の実施の形態の設置状態の平面図。
【図１７】図１６の１７−１７線に沿う拡大断面図。
【図１８】図１６の１８−１８線に沿う拡大断面図。
【図１９】本発明の第３の実施の形態の設置状態の平面図。
【図２０】図１９の２０−２０線に沿う拡大断面図。
【図２１】図１９の２１−２１線に沿う拡大断面図。
【図２２】本発明の第４の実施の形態の設置状態の平面図。
【図２３】図２２の２３−２３線に沿う拡大断面図。
【図２４】本発明の第４の実施の形態の外側可動手摺の説明図。
【符号の説明】
１、１Ａ、１Ｂ、１Ｃ：渡り通路、
２：一方の建物、        ３：外壁面、
４：一方の通路、        ５：目地部、
６：他方の建物、        ７：外壁面、
８：他方の通路、        ９：凹部、
１０：一方のガイドレール、
１１：支持レール、      １２：目地プレート、
１３、１３Ａ：一方のカバープレート、
１４：凹部、            １５：他方のガイドレール、
１６：コーナ目地プレート、
１７、１７Ａ：他方のカバープレート、
１８：スライド支持金具、１９：可動手摺、
２０：目地部側可動手摺、２１：ヒンジ部材、
２２：ヒンジ部材、      ２３、２３Ａ：外側可動手摺、
２４：コーナ目地プレート移動機構、
２５：目地プレート本体、
２６：前後方向移動用ローラ、
２７：ガイド部材、
２８：左右方向移動用ローラ、
２９：一対のカバープレート取付け金具、
３０：皿ビス、          ３１：コーナ目地プレート本体、
３２、３３、３４：前後方向移動用ローラ、
３５：ガイド部材、
３６：他方のカバープレート取付け金具、
３７：皿ビス、          ３８：支柱、
３９：上バー部材、      ４０：下バー部材、
４１：縦桟、            ４２：一方の支持バー、
４３、４３Ａ：一方の横桟、
４４：他方の支持バー、  ４５：支持リング、
４６、４６Ａ：他方の横桟、
４７：付勢スプリング、  ４８：押し圧片、
４９：当接片、          ５０：支持部材、
５１：支持部材、        ５２：傾斜面、
５３、５４：傾斜面。
【図１】
0003583698.tif 000002
【図２】
0003583698.tif 000003
【図３】
0003583698.tif 000004
【図４】
0003583698.tif 000005
【図５】
0003583698.tif 000006
【図６】
0003583698.tif 000007
【図７】
0003583698.tif 000008
【図８】
0003583698.tif 000009
【図９】
0003583698.tif 000010
【図１０】
0003583698.tif 000011
【図１１】
0003583698.tif 000012
【図１２】
0003583698.tif 000013
【図１３】
0003583698.tif 000014
【図１４】
0003583698.tif 000015
【図１５】
0003583698.tif 000016
【図１６】
0003583698.tif 000017
【図１７】
0003583698.tif 000018
【図１８】
0003583698.tif 000019
【図１９】
0003583698.tif 000020
【図２０】
0003583698.tif 000021
【図２１】
0003583698.tif 000022
【図２２】
0003583698.tif 000023
【図２３】
0003583698.tif 000024
【図２４】
0003583698.tif 000025